(57)【要約】【課題】画像形成媒体に添付された記憶部に対するアクセス動作を正常に完了する可能性を高めることが可能な画像形成装置を提供する。【解決手段】用紙がアクセス位置を通過したときにアクセス動作が完了しない場合には、その用紙をアクセス位置に再搬送しアクセス未完了分のデータについてのアクセス動作を再度行うことでアクセスしたデータをアクセス完了分のデータに追加する再アクセス処理（Ｓ１１０〜Ｓ１１２）を実行する。これにより、再度のアクセス動作を行う際にアクセスを行うべきデータの量を前のアクセス動作時よりも減らすことができる。従って、アクセス動作を完了できないときに用紙を再搬送して前回と同じアクセス動作を繰り返す場合に比べて、アクセス動作を正常に完了する可能性を高めることができる。【選択図】図３
2010105206.tif 000002
【特許請求の範囲】
【請求項１】
画像形成媒体の搬送を行う搬送手段と、
画像形成媒体に対し画像形成を行う形成手段と、
画像形成媒体に添付された記憶部に対しデータの読み出し及び書き込みの少なくとも一方のアクセス動作をアクセス位置において行うアクセス手段と、
画像形成媒体がアクセス位置を通過したときにアクセス動作が完了しない場合に、前記搬送手段により当該画像形成媒体をアクセス位置へ再搬送し、前記アクセス手段によりアクセス未完了分のデータについてのアクセス動作を行うことでアクセスしたデータをアクセス完了分のデータに追加する再アクセス処理を実行する制御手段と、
を備える画像形成装置。
【請求項２】
請求項１に記載の画像形成装置において、
前記制御手段は、画像形成媒体に対するアクセス動作が完了しないことを条件として、当該画像形成媒体に対する再アクセス処理を複数回繰り返し実行する。
【請求項３】
請求項２に記載の画像形成装置において、
前記制御手段は、画像形成媒体に対する再アクセス処理を実行した回数が上限値に達した場合には、再アクセス処理をそれ以上実行せずに前記搬送手段により当該画像形成媒体を排出する。
【請求項４】
請求項１から請求項３のいずれか一項に記載の画像形成装置において、
前記制御手段は、画像形成媒体に前記記憶部が添付されていない場合に、再アクセス処理を実行せずに前記搬送手段により当該画像形成媒体を排出する。
【請求項５】
請求項１から請求項４のいずれか一項に記載の画像形成装置において、
前記制御手段は、画像形成媒体に対するアクセス動作が完了したことを条件として、前記形成手段により当該画像形成媒体に対する画像形成を行う。
【請求項６】
請求項５に記載の画像形成装置において、
前記搬送手段は、再搬送時に画像形成媒体の表裏を反転させるものであり、
前記制御手段は、複数の画像形成媒体に対し少なくとも表面に画像形成を行う際に、前記搬送手段による各画像形成媒体の再搬送回数を全て奇数または全て偶数とした状態で前記形成手段により画像形成媒体上に表面用の画像を形成する。
【請求項７】
請求項１から請求項６のいずれか一項に記載の画像形成装置において、
前記搬送手段は、再搬送時に画像形成媒体の表裏を反転させるものであり、
前記制御手段は、複数の画像形成媒体に対して画像形成を行う際に、前記搬送手段により各画像形成媒体の再搬送回数を全て偶数、または全て奇数とした状態で各画像形成媒体を排出する。
【発明の詳細な説明】
【技術分野】
【０００１】
本発明は、画像形成装置に関し、特に画像形成媒体に添付されたＲＦＩＤ等の記憶部に対し、データの書き込み若しくは読み出しを行う機能を備えた画像形成装置に関する。
【背景技術】
【０００２】
近年、ＲＦＩＤ（Radio Frequency IDentification）と呼ばれるＩＣチップ（記憶部）付きの用紙に対して印刷を行う際に、ＩＣチップに対するデータの書き込み若しくはデータの読み出しを行う機能を備えた画像形成装置が提案されている。こうした画像形成装置において、用紙がＩＣチップに対するアクセス位置を通過したときにデータの書き込み等のアクセス動作が失敗した場合に、用紙をアクセス位置に再搬送してアクセス動作を再度やり直す技術が知られている（特許文献１参照）。
【特許文献１】特開２００６−１１０８０２公報
【発明の開示】
【発明が解決しようとする課題】
【０００３】
上記のようにアクセス動作が正常に完了しない要因として、ＩＣチップがアクセス位置を通過する時間に比して、読み書きするデータ量が多い（読み書きに要する時間が多い）ことなどが挙げられる。このような要因でアクセス動作に失敗した場合に、上記技術のように用紙を再搬送して前回と同様のアクセス動作を行っても、アクセス動作が再度失敗することが多かった。
【０００４】
本発明は上記のような事情に基づいて完成されたものであって、画像形成媒体に添付された記憶部に対するアクセス動作を正常に完了する可能性を高めることが可能な画像形成装置を提供することを目的とする。
【課題を解決するための手段】
【０００５】
上記の目的を達成するための手段として、第１の発明に係る画像形成装置は、画像形成媒体の搬送を行う搬送手段と、画像形成媒体に対し画像形成を行う形成手段と、画像形成媒体に添付された記憶部に対しデータの読み出し及び書き込みの少なくとも一方のアクセス動作をアクセス位置において行うアクセス手段と、画像形成媒体がアクセス位置を通過したときにアクセス動作が完了しない場合に、前記搬送手段により当該画像形成媒体をアクセス位置へ再搬送し、前記アクセス手段によりアクセス未完了分のデータについてのアクセス動作を行うことでアクセスしたデータをアクセス完了分のデータに追加する再アクセス処理を実行する制御手段と、を備える。
【０００６】
第１の発明によれば、画像形成媒体がアクセス位置を通過したときにアクセス動作が完了しない場合には、その画像形成媒体をアクセス位置に再搬送し、アクセス未完了分のデータについてのアクセス動作を行うことでアクセスしたデータをアクセス完了分のデータに追加する再アクセス処理を実行する。これにより、アクセス動作を完了できないときに画像形成媒体を再搬送して前回と同じアクセス動作を繰り返す場合に比べて、アクセス動作を正常に完了する可能性を高めることができる。
【０００７】
第２の発明は、第１の発明において、前記制御手段は、画像形成媒体に対するアクセス動作が完了しないことを条件として、当該画像形成媒体に対する再アクセス処理を複数回繰り返し実行する。
【０００８】
第２の発明によれば、画像形成媒体に対するアクセス動作が完了しないことを条件として、その画像形成媒体に対する再アクセス処理を複数回繰り返す。即ち、画像形成媒体に対するアクセス動作を３回、４回と繰り返し行うことにより、アクセス動作を正常に完了する可能性をより高めることができる。
【０００９】
第３の発明は、第２の発明において、前記制御手段は、画像形成媒体に対する再アクセス処理を実行した回数が上限値に達した場合には、再アクセス処理をそれ以上実行せずに前記搬送手段により当該画像形成媒体を排出する。
【００１０】
第３の発明によれば、再アクセス処理を行った回数が上限値に達した場合には、再アクセス処理を行わずに画像形成媒体を排出する。これにより、何らかの事情で画像形成媒体に対しアクセス動作を正常に行うことができない場合に、その画像形成媒体に対する再アクセス処理を際限なく繰り返すことを回避できる。
【００１１】
第４の発明は、第１から第３のいずれか一つの発明において、前記制御手段は、画像形成媒体に前記記憶部が添付されていない場合に、再アクセス処理を実行せずに前記搬送手段により当該画像形成媒体を排出する。
【００１２】
第４の発明によれば、画像形成媒体に記憶部が添付されていない場合には、再アクセス処理を実行せずに画像形成媒体を排出する。これにより、記憶部が添付されていない画像形成媒体に対して再アクセス処理が行われることを回避できる。
【００１３】
第５の発明は、第１から第４のいずれか一つの発明において、前記制御手段は、画像形成媒体に対するアクセス動作が完了したことを条件として、前記形成手段により当該画像形成媒体に対する画像形成を行う。
【００１４】
第５の発明によれば、画像形成媒体に対するアクセス動作が完了したことを条件として画像形成を行う。即ち画像形成を行ったもののアクセス動作を完了できなかった場合には、その画像形成に使用した画像形成媒体や着色剤（トナーやインク等）が無駄になる可能性がある。これに対し本構成によれば、確実にアクセス動作が完了した画像形成媒体に画像形成が行われるので、そのような無駄が生じるのを防ぐことができる。
【００１５】
第６の発明は、第５の発明において、前記搬送手段は、再搬送時に画像形成媒体の表裏を反転させるものであり、前記制御手段は、複数の画像形成媒体に対し少なくとも表面に画像形成を行う際に、前記搬送手段による各画像形成媒体の再搬送回数を全て奇数または全て偶数とした状態で前記形成手段により画像形成媒体上に表面用の画像を形成する。
【００１６】
第６の発明によれば、画像形成媒体に表面用の画像を形成するときに各画像形成媒体の再搬送回数が全て奇数または全て偶数となるようにする。これにより、画像形成媒体に表裏の区別がある場合に、再アクセス処理によって各画像形成媒体が再搬送される回数がまちまちであっても、画像を形成する面を揃えることができる。
【００１７】
第７の発明は、第１から第６のいずれか一つの発明において、前記搬送手段は、再搬送時に画像形成媒体の表裏を反転させるものであり、前記制御手段は、複数の画像形成媒体に対して画像形成を行う際に、前記搬送手段により各画像形成媒体の再搬送回数を全て偶数、または全て奇数とした状態で各画像形成媒体を排出する。
【００１８】
第７の発明によれば、複数の画像形成媒体に画像形成を行う際に、各画像形成媒体の再搬送回数を全て奇数または全て偶数とした状態で排出する。これにより、例えば再アクセス処理によって各画像形成媒体が再搬送される回数がまちまちであったような場合であっても、排出時には各画像形成媒体の表裏の向きが揃うため、ユーザが排出された各画像形成媒体の表裏を揃える必要がなくなる。
【発明の効果】
【００１９】
本発明によれば、画像形成媒体がアクセス位置を通過したときにアクセス動作が完了しない場合には、その画像形成媒体をアクセス位置に再搬送し、アクセス未完了分のデータについてのアクセス動作を行うことでアクセスしたデータをアクセス完了分のデータに追加する再アクセス処理を実行する。これにより、アクセス動作を完了できないときに画像形成媒体を再搬送して前回と同じアクセス動作を繰り返す場合に比べて、アクセス動作を正常に完了する可能性を高めることができる。
【発明を実施するための最良の形態】
【００２０】
＜実施形態１＞
次に本発明の実施形態１について図１から図４を参照して説明する。
【００２１】
（プリンタの構成）
図１は、本発明の画像形成装置の一例であるプリンタ１の電気的構成を簡略に示すブロック図であり、図２は、プリンタ１の全体構成を簡略に示す断面図である。
プリンタ１は、図１に示すように、ＣＰＵ１１、ＲＯＭ１２、ＲＡＭ１３、ＮＶＲＡＭ（不揮発性メモリ）１４、ネットワークインターフェイス１５を備え、これらに画像形成部１７、ＩＣリーダライタ１８、表示部１９、操作部２０、搬送機構２１等を接続した構成となっている。
【００２２】
ＲＯＭ１２には、後述する印刷処理など、このプリンタ１の各種の動作を実行するためのプログラムが記憶されており、ＣＰＵ１１（制御手段の一例）は、ＲＯＭ１２から読み出したプログラムに従って、その処理結果をＲＡＭ１３またはＮＶＲＡＭ１４に記憶させながら各部の制御を行う。ネットワークインターフェイス１５は、ネットワーク回線を介して外部のコンピュータ（図示せず）等に接続され、これにより相互のデータ通信が可能となっている。
【００２３】
画像形成部１７（形成手段の一例）は、１色または複数色の着色剤（インクやトナー）を用いて用紙２５（画像形成媒体の一例）に画像を形成する。ＩＣリーダライタ１８（アクセス手段の一例）は、用紙２５に添付されたＲＦＩＤタグ（記憶部の一例）と電波により非接触で通信を行うことで、ＲＦＩＤタグに記録されたデータの読み出し、及びＲＦＩＤタグへのデータの書き込みのうちいずれか一方、若しくは読み出しと書き込みの両方を行う機能を有している（これらの動作をまとめてアクセス動作という。）。
【００２４】
表示部１９は、ディスプレイやランプ等を備え、各種の設定画面や装置の動作状態等を表示することが可能である。操作部２０は、複数のボタンを備え、ユーザにより各種の入力操作が可能である。搬送機構２１（搬送手段の一例）は、図２にも示すように、用紙２５を搬送するための複数のローラやベルトユニット２１Ａ、後述のスイッチバック機構２１Ｂや、駆動源となるモータや、モータの動力をローラに伝達するギア機構などを備えている。
【００２５】
さらにプリンタ１は、図２に示すように、用紙２５を複数枚積載可能な供給トレイ２６を備えている。なお、本プリンタ１では、用紙２５としてＲＦＩＤタグが添付された用紙と、ＲＦＩＤタグが添付されていない用紙とのいずれも使用することができる。搬送機構２１は、供給トレイ２６の最上位に積載された用紙２５を一枚ずつ搬送路Ａに送り出し、続いて搬送路Ａから搬送路Ｂへ搬送する。
【００２６】
この搬送路Ｂに沿って上流側に既述のＩＣリーダライタ１８、下流側に画像形成部１７が配置されている。搬送路Ｂ上において、用紙２５がＩＣリーダライタ１８に対向する範囲が、ＩＣリーダライタ１８がＲＦＩＤタグに対してアクセス可能なアクセス位置Ｐ１とされている。また、用紙２５が画像形成部１７に対向する範囲が、画像形成部１７が用紙２５上に画像を形成可能な画像形成位置Ｐ２とされている。
【００２７】
搬送機構２１は、用紙２５を搬送路Ｂから搬送路Ｃへと搬送し、さらに搬送路Ｃから本体上面に形成された排紙トレイ２７上に排出することができる。また搬送機構２１は、搬送路Ｃに搬送した用紙２５をスイッチバック機構２１Ｂによりスイッチバック（反転）させ、その用紙２５を搬送路Ｄを介して搬送路Ｂに再搬送することもできる。
【００２８】
（印刷処理）
図３及び図４は、印刷処理の流れを示すフローチャートである。
【００２９】
ＣＰＵ１１は、外部のコンピュータ等から送信された印刷要求をネットワークインターフェイス１５を介して受信すると、その印刷要求に基づいて以下に示す印刷処理を実行する。ユーザは、コンピュータ等から印刷要求を送信する際に、印刷枚数、両面印刷または片面印刷、カラー／モノクロなどの各種の印刷条件や、ＲＦＩＤタグに対する読み出しまたは書き込みの指示、若しくは書き込み内容の指示（これらをアクセス指示という）などの設定を行うことができ、印刷要求にはこれらの設定情報が含まれている。なお、印刷要求の入力や、各種の設定をユーザが操作部２０により行い、それに基づいて印刷処理を実行するようにしても良い。
【００３０】
ＣＰＵ１１は、印刷処理を開始すると、図３に示すように、まずＲＦＩＤタグに対するアクセス指示があるかを判断し（Ｓ１０１）、アクセス指示が無い場合（Ｓ１０１：Ｎｏ）には、ＲＦＩＤタグに対するアクセス動作を行わずに印刷を行う非アクセス印刷処理を実行する（Ｓ１０２）。
【００３１】
また、ＲＦＩＤタグに対するアクセス指示がある場合（Ｓ１０１：Ｙｅｓ）には、用紙２５の反転回数を数えるためのカウンタの値を０とする（Ｓ１０３）。続いて、ＣＰＵ１１は、搬送機構２１により供給トレイ２６に積載された用紙２５の搬送を開始する（Ｓ１０４）。そして、その用紙２５に添付されるＲＦＩＤタグがＩＣリーダライタ１８のアクセス位置Ｐ１を通過する間に、ＲＦＩＤタグに対するアクセス動作を行う（Ｓ１０５）。
【００３２】
ここでは、例えば、ＲＦＩＤタグに記録された認証情報等のデータの読み取りや、あるいはＲＦＩＤタグに対し、ユーザ名、印刷実行時刻、印刷条件や設定情報等のデータの書き込みを行う。また、他にも、例えば印刷を行う画像のデータ等をＲＦＩＤタグに書き込んでも良い。なお、アクセス動作の始めにＩＣリーダライタ１８からＲＦＩＤタグを検知するための検知信号を発信し、ＲＦＩＤタグから所定時間内に応答が無い場合、即ちＲＦＩＤタグが検知されない場合に、アクセス動作を中止するようにしても良い。
【００３３】
続いて、ＣＰＵ１１は、アクセス動作を行った用紙２５にＲＦＩＤタグが添付されているかを判断する（Ｓ１０６）。ＲＦＩＤタグが添付されていないと判断した場合、即ちＲＦＩＤタグからの応答がなかった場合（Ｓ１０６：Ｎｏ）には、用紙２５を搬送機構２１により搬送路Ｂから搬送路Ｃへと搬送し、印刷を行わない状態でその用紙２５を排出し（Ｓ１０７）、この印刷処理を終了する。
【００３４】
また、用紙２５にＲＦＩＤタグが添付されている場合（Ｓ１０６：Ｙｅｓ）には、Ｓ１０５においてアクセス動作が正常に完了したかを判断する（Ｓ１０８）。ここでは、アクセス動作で読み取るべき全てのデータが読み取られたか、若しくは、書き込むべき全てのデータが書き込まれたかを判断する。
【００３５】
より具体的には、例えば、一回のアクセス動作を行う間（ＲＦＩＤタグ付き用紙２５がアクセス位置を一回通過する間）に、同じデータの読み取り動作を複数回行って、読み取った各データの整合性を調べ、整合しないデータあるいは読み取れなかったデータが存在する場合にそのデータをアクセス未完了分のデータとし、アクセス動作が正常に完了しなかったと判断する。
【００３６】
あるいは、ＲＦＩＤタグに書き込むデータを複数のパートに分割し、一回のアクセス動作を行う間に各パートごとにデータの書き込みと、書き込んだデータの読み出しとを行って、両データの整合性を調べ、整合しないデータが存在するパートや書き込みまたは読み出しが完了しなかったパートが存在する場合に、そのパートのデータをアクセス未完了のデータとし、アクセス動作が正常に完了しなかったと判断する。
【００３７】
さらにまた、ＲＦＩＤタグにおいて読み出すべきデータのヘッダ部分に総データ量を記録しておき、ＩＣリーダライタ１８により読み出したデータ量が総データ量に満たない場合は、アクセス動作が完了していないと判断しても良い。
【００３８】
さて、ＣＰＵ１１は、アクセス動作が完了していない場合（Ｓ１０８：Ｎｏ）には、用紙反転回数のカウンタが所定の上限値（２以上の整数）に達したかを判断する（Ｓ１０９）。そして、カウンタが上限値に達していない場合（Ｓ１０９：Ｎｏ）には、その用紙２５を搬送路Ｃからスイッチバックさせ、搬送路Ｄを通じてアクセス位置Ｐ１へ再搬送し（Ｓ１１０）、用紙反転回数のカウンタに１を加える（Ｓ１１１）。
【００３９】
そして、ＣＰＵ１１は、再搬送した用紙２５のＲＦＩＤタグがアクセス位置Ｐ１に到達したときに、アクセス未完了分のデータについてのアクセス動作を行う（Ｓ１１２）。ここでは、例えば、ＩＣリーダライタ１８が先のアクセス動作において、読み取れなかったデータの送信をＲＦＩＤタグに指示し、その応答として受け取ったデータ（未完了分のデータ）を先にアクセス動作においてＲＡＭ４３等に記憶していた読み取り完了分のデータに追加する。あるいは、ＩＣリーダライタ１８が先のアクセス動作において、書き込めなかったデータをＲＦＩＤタグに送信し、ＲＦＩＤタグが受信したデータを先のアクセス動作において記憶されている書き込み完了分のデータに追加する。
【００４０】
このようにして、先のアクセス動作におけるアクセス完了分のデータについては、アクセス動作の少なくとも一部を省略する。このため、先のアクセス動作においてアクセス動作が完了したデータがある程度存在する場合には、全てのデータについて再度アクセス動作を行う場合に比べると、アクセスすべきデータの量が減少することになる。従って、再度のアクセス動作時には、先のアクセス動作時よりもアクセス動作を完了できる可能性が高まることになる。
【００４１】
ＣＰＵ１１は、上記Ｓ１１０〜Ｓ１１２の再アクセス処理を行った後、Ｓ１０８に戻り、全てのアクセス動作が正常に完了したか場合を判断する。アクセス動作が完了していない場合には、カウンタが上限値に達するまで再アクセス処理を繰り返す。そして、カウンタが上限値に達した場合（Ｓ１０９：Ｙｅｓ）には、処理中の用紙２５を排出し（Ｓ１１３）、この印刷処理を終了する。上述の処理により、上限値が３以上に設定されている場合には、アクセス動作が完了しないことを条件として、再アクセス処理を複数回行うことになる。
【００４２】
ＣＰＵ１１は、アクセス動作が正常に完了した場合（Ｓ１０８：Ｙｅｓ）には、続いて図４に示すように、印刷要求に含まれる印刷条件の設定において両面印刷が指定されているかを判断する（Ｓ１１４）。そして、片面印刷が指定されている場合（１１４：Ｎｏ）には、用紙反転回数のカウンタが奇数であれば（Ｓ１１５：Ｎｏ）用紙２５の再搬送を行った後（Ｓ１１６）、用紙２５が画像形成位置Ｐ２に到達したときに用紙２５の片面に印刷を行う（Ｓ１１７）。また、カウンタが偶数であれば（Ｓ１１５：Ｙｅｓ）用紙２５の再搬送を行わずに、用紙２５が画像形成位置Ｐ２に到達したときに、用紙２５の片面に印刷を行う（Ｓ１１７）。
【００４３】
これにより、アクセス動作の完了時における用紙２５の反転回数が奇数であっても偶数であっても、常に用紙２５の供給トレイ２６において下側になる面に（表面用の）画像が印刷される。続いてＣＰＵ１１は、片面に画像が印刷された用紙２５を、搬送路Ｃを通じて排出し（Ｓ１１８）、この印刷処理を終了する。これにより排出された用紙２５は、印刷面を下にした状態（フェースダウン状態）で排出トレイ２６上に積載される。複数の用紙２５に片面印刷を行う場合には、各用紙２５に対して上述の印刷処理が行われることにより、各用紙２５の供給トレイ２６において下側の面に画像が印刷され、各用紙２５がその印刷面を下にした状態で排出トレイ２６上に排出される。
【００４４】
また、Ｓ１１４にて、印刷条件の設定において両面印刷が指定されている場合（Ｓ１１４：Ｙｅｓ）には、用紙搬送回数のカウンタが偶数であれば（Ｓ１１９：Ｙｅｓ）、その用紙２５を再搬送し（Ｓ１２０）、用紙２５が画像形成位置Ｐ２に到達したときに用紙２５の上面に裏面用の画像を印刷する（Ｓ１２１）。また、用紙搬送回数のカウンタが奇数であれば（Ｓ１１９：Ｎｏ）、用紙２５を再搬送せずに、用紙２５が画像形成位置Ｐ２に到達したときに用紙２５の上面に裏面用の画像を印刷する（Ｓ１２１）。続いてＣＰＵ１１は、用紙２５を再搬送し（Ｓ１２２）、用紙２５が再び画像形成位置Ｐ２に到達したときに、Ｓ１１７にて用紙２５の上面に表面用の画像を形成し、その後Ｓ１１８にて用紙２５を排出して、この印刷処理を終了する。
【００４５】
これにより、アクセス動作の完了時における用紙２５の反転回数が奇数であっても偶数であっても、常に用紙２５の供給トレイ２６において上側になる面に裏面用の画像が印刷され、供給トレイ２６において下側になる面に表面用の画像が印刷される。なお、用紙２５に表裏の区別がない場合には、上述のように反転回数に応じて再搬送を行う処理（Ｓ１１５，Ｓ１１６，Ｓ１１９，Ｓ１２０）を省略しても良い。
【００４６】
また、排出された用紙２５は、常に表面用の画像が印刷された面を下にした状態で排出トレイ２６上に積載される。複数の用紙２５に両面印刷を行う場合には、各用紙２５に対して上述の印刷処理が行われることにより、各用紙２５の供給トレイ２６において下側の面に表面用の画像、上側の面に裏面用の画像が印刷され、各用紙２５が表面側を下にした状態で排出トレイ２６上に排出される。
【００４７】
（本実施形態の効果）
以上のように本実施形態によれば、用紙２５がアクセス位置Ｐ１を通過したときにアクセス動作が完了しない場合には、その用紙２５をアクセス位置Ｐ１に再搬送しアクセス未完了分のデータについてのアクセス動作を再度行うことでアクセスしたデータをアクセス完了分のデータに追加する再アクセス処理（Ｓ１１０〜Ｓ１１２）を実行する。これにより、再度のアクセス動作を行う際にアクセスを行うべきデータの量を前のアクセス動作時よりも減らすことができる。従って、アクセス動作を完了できないときに用紙２５を再搬送して前回と同じアクセス動作を繰り返す場合に比べて、アクセス動作を正常に完了する可能性を高めることができる。
【００４８】
本構成により、ＲＦＩＤタグにアクセス可能な時間に比べてアクセスするデータ量が多い場合のみならず、例えばノイズ等の影響でＩＣリーダライタ１８とＲＦＩＤタグとの間の通信状態が悪い場合などにも、アクセス動作を正常に完了する可能性を高めることができる。
【００４９】
なお、従来の画像形成装置のように、アクセス動作が正常に完了しなかったときに再度のアクセス動作を行わないものにおいては、アクセス動作を１回でできるだけ正常に完了させるために、用紙の搬送速度を下げてＲＦＩＤタグに対するアクセス動作が可能な時間を稼ぐことなどが考えられる。これに対し、本構成によれば、アクセス動作が必ずしも１回で完了する必要がないため、搬送速度を下げずに済む。このため、アクセス動作が１回で済んだ場合には短時間で印刷を完了することができる。
【００５０】
また、本実施形態では、用紙２５に対するアクセス動作が完了しないことを条件として、その用紙２５に対する再アクセス処理を複数回繰り返す。即ち、用紙２５に対するアクセス動作を３回、４回と繰り返し行うことにより、アクセス動作を正常に完了する可能性をより高めることができる。
【００５１】
また、再アクセス処理を行った回数が上限値に達した場合には、再アクセス処理を行わずに用紙２５を排出する。これにより、何らかの事情（ＩＣチップの不良など）で用紙２５に対しアクセス動作を正常に行うことができない場合に、その用紙２５に対する再アクセス処理を際限なく繰り返すことを回避できる。
【００５２】
また、用紙２５にＲＦＩＤタグが添付されていない場合には、再アクセス処理を実行せずに用紙２５を排出する。これにより、ＲＦＩＤタグが添付されていない用紙２５に対して再アクセス処理が行われることを回避できる。
【００５３】
また、用紙２５に対するアクセス動作が完了したことを条件として画像形成を行う。即ち画像形成を行ったもののアクセス動作を完了できなかった場合には、その画像形成に使用した用紙２５や着色剤（トナーやインク等）が無駄になる可能性がある。これに対し本構成によれば、確実にアクセス動作が完了した用紙２５に画像形成が行われるので、そのような無駄が生じるのを防ぐことができる。
【００５４】
また、複数の用紙２５に画像形成を行う際に、各用紙２５の再搬送回数を全て奇数または全て偶数とした状態で排出する。これにより、再アクセス処理によって各用紙２５が再搬送される回数がまちまちであったような場合であっても、排出時には各用紙２５の表裏の向きが揃うため、ユーザが排出された各用紙２５の表裏を揃える必要がなくなる。
【００５５】
また、用紙２５に表面用の画像を形成するときに各用紙２５の再搬送回数が全て奇数または全て偶数となるようにする。これにより、用紙２５に表裏の区別がある場合に、再アクセス処理によって各用紙２５が再搬送される回数がまちまちであっても、画像を形成する面を揃えることができる。
【００５６】
＜実施形態２＞
次に本発明の実施形態２について図５及び図６を参照して説明する。図５は、プリンタ２の構成を簡略に示す断面図であり、図６は、印刷処理の流れを示すフローチャートである。なお、以下の説明において、前述の実施形態と同様の構成には、同一の符号を付して説明を省略する。
【００５７】
本実施形態のプリンタ２は、図５に示すように、ＩＣリーダライタ１８Ａを再搬送用のの搬送路Ｄに面した位置に配したものである。このＩＣリーダライタ１８Ａは、供給トレイ２６とベルトユニット２１Ａとの間に挟まれた位置に配され、全体として上下に扁平な形状をなしている。
【００５８】
図６は、片面印刷を行う場合の印刷処理の流れを示しており、ＣＰＵ１１は、印刷処理を開始すると、まず用紙反転回数のカウンタを０にセットし（Ｓ２０１）、供給トレイ２６から用紙２５の搬送を開始する（Ｓ２０２）。続いて、用紙２５が画像形成位置Ｐ２に到達したときに用紙２５に画像を印刷する（Ｓ２０３）。そして、用紙２５を再搬送して（Ｓ２０４）、用紙搬送回数のカウンタに１を加え（Ｓ２０５）、用紙２５のＲＦＩＤタグがＩＣリーダライタ１８Ａに対向するアクセス位置Ｐ３に到達したときにアクセス動作を行う（Ｓ２０６）。
【００５９】
続いて、ＣＰＵ１１は、アクセス動作が正常に完了したかを判断し（Ｓ２０７）、完了していない場合（Ｓ２０７：Ｎｏ）には、用紙搬送回数のカウンタが上限値に到達していなければ（Ｓ２０８：Ｎｏ）、用紙２５をアクセス位置に再搬送し（Ｓ２０９）、カウンタに１を加え（Ｓ２１０）、アクセス未完了分のデータについてのアクセス動作を行う（Ｓ２１１）。このようにＣＰＵ１１は、アクセス動作が正常に完了しない場合には、カウンタが上限値に達するまでＳ２０９〜Ｓ２１１の再アクセス処理を繰り返す。そして、アクセス動作が正常に完了した場合（Ｓ２０７：Ｙｅｓ）、若しくはカウンタが上限値に達した場合（Ｓ２０８：Ｙｅｓ）には、その用紙２５を排出トレイ２６に排出し（Ｓ２１２）、この印刷処理を終了する。
【００６０】
本実施形態では、ＩＣリーダライタ１８Ａを再搬送用の搬送路Ｄ上に配置することで、図２のようにＩＣリーダライタ１８と画像形成部１７とを搬送路Ｂに沿って並べて配置した場合に比べて、プリンタ２を前後方向（用紙２５の搬送方向）に小型化することができる。また、プリンタ２の前後の寸法を抑えつつ、ＲＦＩＤタグに対してアクセス可能な範囲であるアクセス位置Ｐ３を前後に大きくとることができるため、それにより一回のアクセス動作においてＲＦＩＤタグにアクセス可能な時間を稼ぎ、アクセス動作を正常に完了する可能性を高めることができる。
【００６１】
＜他の実施形態＞
本発明は上記記述及び図面によって説明した実施形態に限定されるものではなく、例えば次のような実施形態も本発明の技術的範囲に含まれる。
（１）本発明は、電子写真方式の画像形成装置や、インクジェット方式の画像形成装置など、種々の方式の画像形成装置に適用することができる。例えば、画像形成装置として、モノクロ印刷専用のものや、ベルトユニットを備えていないもの、スキャン機能やファクシミリ機能等を備えたものなどにも本発明を適用することができる。
【００６２】
（２）上記実施形態では、アクセス手段として、ＲＦＩＤタグに対し読み出し及び書き込みが可能なＩＣリーダライタを設けたものを示したが、本発明によれば、画像形成媒体の記憶部に対する読み出し及び書き込みの少なくとも一方を行う機能があれば良い。また、アクセス手段は、複数箇所に設けることもでき、この場合、例えばアクセス手段の一つで記憶部の検知を行い、他のアクセス手段で書き込みを行うなど、役割を分担させることができる。
【図面の簡単な説明】
【００６３】
【図１】本発明の実施形態１におけるプリンタの電気的構成を簡略に示すブロック図
【図２】プリンタの構成を簡略に示す断面図
【図３】印刷処理の流れを示すフローチャート
【図４】印刷処理の流れを示すフローチャート
【図５】実施形態２におけるプリンタの電気的構成を簡略に示すブロック図
【図６】印刷処理の流れを示すフローチャート
【符号の説明】
【００６４】
１…プリンタ（画像形成装置）
１１…ＣＰＵ（制御手段）
１７…画像形成部（形成手段）
１８，１８Ａ…ＩＣリーダライタ（アクセス手段）
２１…搬送機構（搬送手段）
２５…用紙（画像形成媒体）
【図１】
2010105206.tif 000003
【図２】
2010105206.tif 000004
【図３】
2010105206.tif 000005
【図４】
2010105206.tif 000006
【図５】
2010105206.tif 000007
【図６】
2010105206.tif 000008